(57)【要約】      （修正有）【課題】簡単な構造により店舗管理者の手指を保護できる陳列棚を提供する。【解決手段】陳列棚１１は、後側の第１位置と、前記第１位置よりも前側の第２位置と、の間で移動可能な移動棚部材１４と、前記移動棚部材の下側に設けられる支軸部材と、前記支軸部材に回転可能に支持される支点部と、前記支点部よりも前側に突出するとともに手指を掛けることが可能な第１部分と、前記支点部よりも後側に突出し且つ前記第１部分よりも小さい重量で構成されるとともに係合部を含む第２部分と、を有するロック部材１７と、前記移動棚部材を前後方向に移動可能に支持するブラケット部材１３であって、下向きに突出して前記移動棚部材が前記第１位置にあるときに前記係合部と係合可能な第１爪部を前側に有するブラケット部材と、を備える。これによって手指が第１爪部に触れる危険性を低減できる。【選択図】図２
0003232094.tif 000002
【実用新案登録請求の範囲】
【請求項１】
後側の第１位置と、前記第１位置よりも前側の第２位置と、の間で移動可能な移動棚部材と、
前記移動棚部材の下側に設けられる支軸部材と、
前記支軸部材に回転可能に支持される支点部と、前記支点部よりも前側に突出するとともに手指を掛けることが可能な第１部分と、前記支点部よりも後側に突出し且つ前記第１部分よりも小さい重量で構成されるとともに係合部を含む第２部分と、を有するロック部材と、
前記移動棚部材を前後方向に移動可能に支持するブラケット部材であって、下向きに突出して前記移動棚部材が前記第１位置にあるときに前記係合部と係合可能な第１爪部を前側に有するブラケット部材と、
を備える陳列棚。
【請求項２】
前記第２部分は、前記係合部よりも前側に設けられる保護片であって、前記係合部に係合された状態の前記第１爪部の前側を覆う保護片を有する請求項１に記載の陳列棚。
【請求項３】
前記ブラケット部材は、前向きに突出して前記移動棚部材が前記第２位置から前記第１位置に移動する際に前記第２部分を下方に押し下げるように斜めになった第２爪部を有する請求項１又は請求項２に記載の陳列棚。
【請求項４】
前記第１部分は、その先端部が前記移動棚部材に近づくようにクランク状に折れ曲がった請求項１〜３のいずれか１項に記載の陳列棚。
【考案の詳細な説明】
【技術分野】
【０００１】
本考案は、商品を陳列可能な陳列棚に関する。
【背景技術】
【０００２】
可動棚の移動をロックするためのストッパを備えたショーケースが開示されている（例えば、特許文献１参照）。ストッパは、前方のカール状把持部と、中ほどの係合溝部と、後方のガイド翼部と、を備えている。棚ブラケットの先端側上縁には、上向きの爪部を有する。この爪部がストッパの係合溝部に係合することで、可動棚の移動がロックされる。
【先行技術文献】
【特許文献】
【０００３】
【特許文献１】特許第４８６７２２４号明細書
【考案の概要】
【考案が解決しようとする課題】
【０００４】
一般に、爪部は、店舗管理者が触れても危険がないように角をとるように加工されることが望ましいが、ロック機能の性質上、爪を鋭利に形成せざるを得ない場合もある。そのような場合に、意図せずに店舗管理者の手指が爪部に触れた際に、不測の事態を生じる可能性を否定することはできない。
【０００５】
本考案の目的は、簡単な構造により店舗管理者の手指を保護できる陳列棚を提供することにある。
【課題を解決するための手段】
【０００６】
上記課題は、以下の本考案により解決される。すなわち、本考案（１）の陳列棚は、
後側の第１位置と、前記第１位置よりも前側の第２位置と、の間で移動可能な移動棚部材と、
前記移動棚部材の下側に設けられる支軸部材と、
前記支軸部材に回転可能に支持される支点部と、前記支点部よりも前側に突出するとともに手指を掛けることが可能な第１部分と、前記支点部よりも後側に突出し且つ前記第１部分よりも小さい重量で構成されるとともに係合部を含む第２部分と、を有するロック部材と、
前記移動棚板を前後方向に移動可能に支持するブラケット部材であって、下向きに突出して前記移動棚部材が前記第１位置にあるときに前記係合部と係合可能な第１爪部を前側に有するブラケット部材と、
を備える陳列棚。
【０００７】
また、本考案（２）の陳列棚は、（１）記載の陳列棚であって、
前記第２部分は、前記係合部よりも前側に設けられる保護片であって、前記係合部に係合された状態の前記第１爪部の前側を覆う保護片を有する。
【０００８】
また、本考案（３）の陳列棚は、（１）又は（２）に記載の陳列棚であって、
前記ブラケット部材は、前向きに突出して前記移動棚部材が前記第２位置から前記第１位置に移動する際に前記第２部分を下方に押し下げるように斜めになった第２爪部を有する。
【０００９】
また、本考案（４）の陳列棚は、（３）に記載の陳列棚であって、
前記第１部分は、その先端部が前記移動棚部材に近づくようにクランク状に折れ曲がった。
【考案の効果】
【００１０】
本考案によれば、簡単な構造により店舗管理者の手指を保護できる陳列棚を提供できる。
【図面の簡単な説明】
【００１１】
【図１】実施形態の陳列棚を示す斜視図である。
【図２】図１に示す陳列棚中の１つの移動棚部材、左右一対のブラケット部材、左右一対のロック部材、ブラケット部材同士を連結する連結具、を示す側面図である。
【図３】図１に示す左側のブラケット部材、支軸部材、吊下部材、およびロック部材を分解して示す斜視図である。
【図４】図３に示す吊下部材を示した斜視図である。
【図５】図３に示すロック部材を上方から示す斜視図である。
【図６】図３に示すロック部材を下方から示す斜視図である。
【図７】図１に示すように移動棚部材が第１位置にあるときに、左側のブラケット部材、支軸部材、吊下部材、ロック部材、および第１爪部を、陳列棚の中央側から示す側面図である。
【図８】図７に示すブラケット部材、支軸部材、吊下部材、ロック部材、および第１爪部を、ロック部材の第１部分を上側に、第２部分を下側に回動させ、係合部と第１爪部との係合を解除した状態を示す側面図である。
【図９】図８に示すブラケット部材、支軸部材、吊下部材、およびロック部材を、移動棚部材とともに第２位置に移動させた状態を示す側面図である。
【図１０】図８に示すブラケット部材、支軸部材、吊下部材、ロック部材、および第１爪部を、店舗管理者がロック部材から手指を離した状態を示す側面図である。
【図１１】図１に示すように移動棚部材が第１位置にあるときに、左側のブラケット部材、支軸部材、吊下部材、ロック部材、および第１爪部を、上方から示す斜視図である。
【図１２】図１に示すように移動棚部材が第１位置にあるときに、左側のブラケット部材、支軸部材、吊下部材、ロック部材、および第１爪部を、下方から示す斜視図である。
【図１３】図１２に示すブラケット部材、支軸部材、吊下部材、ロック部材、および第１爪部を、ロック部材の第１部分を上側に、第２部分を下側に回動させ、係合部と第１爪部との係合を解除した状態を示す斜視図である。
【図１４】図１３に示すブラケット部材、支軸部材、吊下部材、およびロック部材を、移動棚部材とともに第２位置に移動させた状態を示す斜視図である。
【考案を実施するための形態】
【００１２】
以下図面を参照して、陳列棚の実施形態について説明する。本考案の陳列棚は、商店内に設置され、必要に応じて棚板を手前側に引き出し可能なものである。なお、本実施形態の陳列棚は、左右対称形をなしているため、主として陳列棚を正面から見たときの左側の構造について説明する。陳列棚を正面から見たときの右側の構造については、左側の構造と左右対称形であるため、説明を適宜省略する。
【００１３】
図１〜図３に示すように、陳列棚１１は、ラック１２と、ラック１２に固定された左右一対のブラケット部材１３と、ブラケット部材１３に対して移動可能に支持されている移動棚部材１４と、移動棚部材１４の下側に設けられる左右一対の吊下部材１５と、移動棚部材１４の下側に設けられ吊下部材１５に固定された左右一対の支軸部材１６と、支軸部材１６に回転可能に支持される左右一対のロック部材１７と、左右一対のブラケット部材１３を連結する棒状の連結具１８と、を備える。
【００１４】
ラック１２は、例えば、金属材料、詳細には、スチール等によって形成されている。ラック１２、一対の支柱２１と、一対の支柱２１間に渡された背面部材２２と、を有する。一対の支柱２１のそれぞれは、角柱で構成され、長手方向に沿って一定ピッチで設けられる複数の貫通孔２３を有する。背面部材２２は、例えば、平板状に形成されているが、金属製の線材を格子網状に配置した網状体で構成されていてもよい。
【００１５】
ブラケット部材１３は、例えば、金属材料、詳細には、スチール等によって形成されている。ブラケット部材１３は、移動棚部材１４を前後方向に移動可能に支持できる。図３に示すように、ブラケット部材１３は、複数の板材（例えば、２個の板材）を組み合わせて平板状にしたブラケット本体２４と、支柱２１の貫通孔２３のいずれかに引っ掛けることが可能な複数のフック部２５と、ブラケット本体２４の前側に設けられる第１爪部２６および第２爪部２７と、ブラケット本体２４に固定された断面Ｃ字状の第１レール２８と、を有する。複数のフック部２５は、ブラケット本体２４の後ろ側に縦並びで設けられている。
【００１６】
第１爪部２６および第２爪部２７は、ブラケット本体２４の前側の端部から前方に向けて板状に突出するように設けられている。第１爪部２６は、下向きに山型に突出するように設けられている。第２爪部２７は、前向きに突出するように設けられている。第２爪部２７は、前方から後方に行くにつれて下方に行くように、水平方向に対して斜めに形成されている。第２爪部２７は、第１爪部２６と一体的に形成され、下向きの山型をなした第１爪部２６の裾野に当たる部分に形成されている。
【００１７】
移動棚部材１４は、図１、図２に示す後側の第１位置Ｐ１と、図１０に示す第１位置Ｐ１よりも前側にある第２位置Ｐ２と、の間で前後方向に進退移動可能である。移動棚部材１４は、例えば、金属材料、詳細には、スチール等によって形成されている。図２、図３に示すように、移動棚部材１４は、移動棚部材本体３１と、移動棚部材本体３１を支持するフレーム３２と、フレーム３２に固定される断面Ｃ字状の第２レール３３と、を有する。第２レール３３は、第１レール２８に対して前後方向にスライド移動可能に構成されている。
【００１８】
吊下部材１５は、例えば、金属材料、詳細には、スチール等によって形成されている。図３、図４に示すように吊下部材１５は、例えばプレス加工によって板材を断面略Ｕ字形に折り曲げて一体的に形成されている。吊下部材１５は、フレーム３２に対して例えばねじ等で構成される第１固定部材３４で固定されている。
【００１９】
吊下部材１５は、フレーム３２に固定するための第１固定部材３４が通される第１固定孔３５と、支軸部材１６となるねじ等が通される第２固定孔３６と、を有する。第２固定孔３６は、左右一対に設けられている。吊下部材１５は、後側の下端から、内側に突出した係止片３７を有する。係止片３７は、次に述べるロック部材１７の第２部分４３と突き当たって、第２部分４３および第１部分４２の先端部４２Ａが水平になるようにロック部材１７を係止できる。
【００２０】
支軸部材１６は、例えば、吊下部材１５の第２固定孔３６に固定されたねじで構成されている。支軸部材１６は、ねじに限られず、円柱形のピンやリベット、その他で構成されていてもよい。
【００２１】
ロック部材１７は、例えば、金属材料、詳細には、スチール等によって形成されている。図３、図５、図６に示すように、ロック部材１７は、例えば、プレス加工によって板材を断面クランク状に折り曲げて一体的に形成されている。ロック部材１７は、その重心から後側に外れた位置に設けられた支点部４１と、支点部４１よりも前側に突出するように設けられた第１部分４２と、支点部４１よりも後ろ側に突出するように設けられた第２部分４３と、第２部分４３に貫通孔状に設けられた係合部４４と、係合部４４を構成する貫通孔の縁部から折り曲げて立て起こすように形成された保護片４５と、を有する。
【００２２】
支点部４１は、断面略Ｕ字形に形成されており、底部４６と、底部４６から上方に突出した一対の突出片４７と、を有する。支点部４１は、ロック部材１７の重心よりも後側に設けられている。一対の突出片４７は、支軸部材１６となるねじを通すための通孔４７Ａをそれぞれ有する。通孔４７Ａは、支軸部材１６を構成するねじの軸部の外径よりも大きく形成され、ねじ（支軸部材１６）に対して若干の遊びをもってその外側に嵌ることができる。したがって、ロック部材１７は、ねじ（支軸部材１６）回りに回転可能である。ロック部材１７は、支点部４１の両側に第１部分４２および第２部分４３を有する構造であるため、支点部４１（支軸部材１６）を中心にシーソー状に回動する構成をなしている。
【００２３】
第１部分４２は、その先端部４２Ａが移動棚部材１４に近づくように、断面クランク状に形成されている。第１部分４２は、ロック部材１７のそれ以外の部分よりも幅広になった先端部４２Ａを有する。このため、第１部分４２は、第２部分４３よりも重量が大きく構成されている。第２部分４３は、平板状に形成されている。保護片４５は、第２部分４３に対して斜めに形成されている。保護片４５は、係合部４４内に第１爪部２６および第２爪部２７が保持されている状態（第１位置Ｐ１）において、これらの斜め傾斜に沿って斜めになっている（図７参照）。保護片４５は、係合部４４に係合された状態の第１爪部２６の前側を覆うことができる。
【００２４】
続いて、図７から図１４を参照して、本実施形態の陳列棚１１の作用について説明する。
【００２５】
店舗管理者は、商品の陳列の際に、必要に応じて移動棚部材１４を後側の第１位置Ｐ１から、前側（手前側）の第２位置Ｐ２に引き出すことができる。その際、店舗管理者は、手指を用いて移動棚部材１４を把持するとともに、手指をロック部材１７の第１部分４２に掛けるようにする。このとき、第１部分４２がクランク状に折れ曲がっているために、手指が第１部分４２の縦方向に延びている部分で止まることになる。このため、店舗管理者は、手指をスムーズに第１部分４２に当てることができる。
【００２６】
一方、ロック部材１７は、自重（重力）によって、第１部分４２が下方に下がり、第２部分４３が上方に上がるように付勢を受けている。ロック部材１７の第２部分４３は、吊下部材１５の係止片３７によって上方から係止されており、第２部分４３が係止片３７よりも上側に回動しないようになっている。このため、ロック部材１７は、係合部４４内に第１爪部２６を係合している状態で、第１部分４２の先端部４２Ａと、第２部分４３が水平になるようにその姿勢が保持されている。この状態で、係合部４４内にブラケット部材１３の第１爪部２６が保持されてロック状態となっている。
【００２７】
図７、図１１、図１２に示す状態から、店舗管理者が手指によってロック部材１７の第１部分４２を上方に回動させると、図８、図１３に示すように、第２部分４３が下方に回動する。これによって、係合部４４と第１爪部２６との係合が解除される。この状態で、店舗管理者は、移動棚部材１４を把持して手前方向に移動棚部材１４を引き出すようにする。これによって、移動棚部材１４が後側の第１位置Ｐ１から、図９、図１４に示す前側の第２位置Ｐ２にまで移動できる。これによって、移動棚部材１４の前側への引き出しを完了できる。この状態で、店舗管理者は、前側に引き出された第２位置Ｐ２の移動棚部材１４に対して商品を陳列することができる。なお、移動棚部材１４の最大引出量は、第１レール２８および第２レール３３の前後方向の長さ等によって設定される。店舗管理者が移動棚部材１４およびロック部材１７から手を離すと、図１０に示すように、ロック部材１７は自重によって回動して第１部分４２の先端部４２Ａおよび第２部分４３が水平になる姿勢に戻る。
【００２８】
一方、移動棚部材１４を後側の第１位置Ｐ１に戻したい場合には、店舗管理者は、ロック部材１７に触れることなく移動棚部材１４を把持して第２位置Ｐ２から第１位置Ｐ１にまで移動させる。図１０に示すように、ロック部材１７の第２部分４３の後端４３Ａは、第２爪部２７と正対する高さにある。このため、移動棚部材１４を後退させると、ロック部材１７の第２部分４３の後端４３Ａが第２爪部２７に当接する。第２爪部２７は、後側に行くつれて下方に下がるように斜めになっているため、これに接したロック部材１７の第２部分４３を下方に回動させるようにロック部材１７を案内できる。そして、第２部分４３の係合部４４が下方に突出する山型の第１爪部２６を乗り越えたときに、第２爪部２７による案内が解除され、ロック部材１７は、図７、図１１、図１２に示すように、第１部分４２の先端部４２Ａおよび第２部分４３が水平になるように回動する。このため、移動棚部材１４を後退させる際には、自動的にロック部材１７による移動棚部材１４の移動規制（ロック）がなされる。移動棚部材１４が第１位置Ｐ１に戻されることによって、商品の陳列が完了する。
【００２９】
本実施形態によれば、以下のことがいえる。陳列棚１１は、後側の第１位置Ｐ１と、第１位置Ｐ１よりも前側の第２位置Ｐ２と、の間で移動可能な移動棚部材１４と、移動棚部材１４の下側に設けられる支軸部材１６と、支軸部材１６に回転可能に支持される支点部４１と、支点部４１よりも前側に突出するとともに手指を掛けることが可能な第１部分４２と、支点部４１よりも後側に突出し且つ第１部分４２よりも小さい重量で構成されるとともに係合部４４を含む第２部分４３と、を有するロック部材１７と、移動棚部材１４を前後方向に移動可能に支持するブラケット部材１３であって、下向きに突出して移動棚部材１４が第１位置Ｐ１にあるときに係合部４４と係合可能な第１爪部２６を前側に有するブラケット部材１３と、を備える。
【００３０】
この構成によれば、ロック部材１７は、支点部４１を中心に第１部分４２および第２部分４３を有するシーソー状に構成され、支点部４１よりも前側の第１部分４２の重量が第２部分４３よりも大きく構成されている。このため、ロック部材１７の自重によって第１部分４２が下方に下がり、第２部分４３が上がるように付勢を受ける。このため、ばねを用いることなく、ロック部材１７は、係合部４４に対して下向きの第１爪部２６を係合させることができる。また、移動棚部材１４が第１位置Ｐ１にあるときに支軸部材１６よりも後ろ側に第１爪部２６を配置できるために、店舗管理者の手指が第１爪部２６に触れる危険性を低減できる。これによって、不測の事態を生じることを極力防止できる。
【００３１】
この場合、第２部分４３は、係合部４４よりも前側に設けられる保護片４５であって、係合部４４に係合された状態の第１爪部２６の前側を覆う保護片４５を有する。この構成によれば、係合部４４に係合された状態の第１爪部２６に対して、店舗管理者の手指が誤って触れることをより一層防止できる。
【００３２】
ブラケット部材１３は、前向きに突出して移動棚部材１４が第２位置Ｐ２から第１位置Ｐ１に移動する際に第２部分４３を下方に押し下げるように斜めになった第２爪部２７を有する。この構成によれば、移動棚部材１４を第２位置Ｐ２から第１位置Ｐ１に移動させる際に係合部４４を第１爪部２６に係合させる自動ロックを簡単な構造で実現できる。
【００３３】
第１部分４２は、その先端部４２Ａが移動棚部材１４に近づくようにクランク状に折れ曲がっている。この構成によれば、第１部分４２がクランク状をなしているために、第１部分４２において上下方向に延びている部分を構成でき、それによって店舗管理者が第１部分４２に対して手指をあてやすくすることができる。また、移動棚部材１４の近傍に第１部分４２の先端部４２Ａを配置できるため、店舗管理者が移動棚部材１４の把持、ロック部材１７によるロック解除、移動棚部材１４の前側への引き出しをワンアクションでスムーズに行うことができる。
【００３４】
上記した実施形態は、種々の置き換えや変形を加えて実施できる。
【符号の説明】
【００３５】
１１                陳列棚
１２                ラック
１３                ブラケット部材
１４                移動棚部材
１５                吊下部材
１６                支軸部材
１７                ロック部材
２６                第１爪部
２７                第２爪部
３７                係止片
４１                支点部
４２                第１部分
４３                第２部分
４４                係合部
４５                保護片
Ｐ１                第１位置
Ｐ２                第２位置
【図１】
0003232094.tif 000003
【図２】
0003232094.tif 000004
【図３】
0003232094.tif 000005
【図４】
0003232094.tif 000006
【図５】
0003232094.tif 000007
【図６】
0003232094.tif 000008
【図７】
0003232094.tif 000009
【図８】
0003232094.tif 000010
【図９】
0003232094.tif 000011
【図１０】
0003232094.tif 000012
【図１１】
0003232094.tif 000013
【図１２】
0003232094.tif 000014
【図１３】
0003232094.tif 000015
【図１４】
0003232094.tif 000016